【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
衛星系の通信設備と地上系の移動体通信設備を車両に搭載し、前記衛星系の通信設備または地上系の通信設備のいずれか一方を使用してユーザー端末と相手先端末との間で通信を行なうよう制御する通信制御装置を有した衛星通信車載局において、前記通信制御装置は、前記車両の動作状態を検出する車両状態検出手段と、前記衛星系の通信設備と地上系の移動体通信設備の通信可否状態を監視する監視手段と、前記車両状態検出手段からの出力に応じて前記衛星系の通信設備に対して電波発射を停止または許可する電波停止／許可手段と、前記監視手段と前記車両状態検出手段からの出力に基づいて前記衛星系の通信設備または地上系の通信設備のいずれか一方に通信路を切替える通信路切替手段と備えたことを特徴とした衛星通信車載局。
【請求項２】
前記車両状態検出手段は、車両の速度信号とパ−キングブレーキ信号の両方から車両の移動または停止状態を識別することを特徴とする請求項１に記載の衛星通信車載局。
【請求項３】
前記電波停止／許可手段は、衛星系の通信設備のアンテナ駆動／制御装置と衛星モデムに対して電波発射の停止または許可の信号を、制御線を通じて伝達するようにした請求項１または請求項２に記載の衛星通信車載局。
【請求項４】
前記電波停止／許可手段は、車両が移動中は衛星系の通信設備の電波発射を停止するようにした請求項３に記載の衛星通信車載局。
【請求項５】
前記監視手段は、衛星系の通信設備のアンテナ駆動状態と回線品質に係る情報の最新情報を保持するとともに、地上系の移動体通信設備の通信状況と受信信号強度を把握するようにしたことを特徴とする請求項１乃至請求項４のいずれか１項に記載の衛星通信車載局。
【請求項６】
前記通信路切替手段は、車両が移動した時は地上系の移動体通信設備に通信路を切替、車両が停止中の時は衛星系の通信設備と地上系の移動体通信設備の通信状態のうち、通信状態が良い方に通信路を切替るようにした請求項１乃至請求項５のいずれか１項に記載の衛星通信車載局。
【手続補正２】
【補正対象書類名】明細書
【補正対象項目名】０００８
【補正方法】変更
【補正の内容】
【０００８】
この発明の衛星通信車載局は、衛星系の通信設備と地上系の移動体通信設備を車両に搭載し、衛星系の通信設備または地上系の通信設備のいずれか一方を使用してユーザー端末と相手先端末との間で通信を行なうよう制御する通信制御装置を有した衛星通信車載局において、通信制御装置は、車両の動作状態を検出する車両状態検出手段と、衛星系の通信設備と地上系の移動体通信設備の通信可否状態を監視する監視手段と、車両状態検出手段からの出力に応じて衛星系の通信設備に対して電波発射を停止または許可する電波停止／許可手段と、監視手段と車両状態検出手段からの出力に基づいて衛星系の通信設備または地上系の通信設備のいずれか一方に通信路を切替える通信路切替手段と備えたものである。
【手続補正３】
【補正対象書類名】明細書
【補正対象項目名】００１６
【補正方法】変更
【補正の内容】
【００１６】
さらに通信制御装置４０は、衛星系の通信設備１０の状態を知るために制御線１７を使い衛星モデム１４から通信状態と装置状態と受信電力強度（ＲＳＳＩ＝Received Signal Strength Indication）とビット符号誤り率（ＢＥＲ＝Bit Error Rate）を、制御線１５を使いアンテナ駆動／制御装置１３からその装置の駆動状態を監視している。
衛星通信が可能の場合は、通信制御装置４０はネットワークケーブル１６を用いて衛星モデム１４とユーザー端末５０からのＩＰデータを送受信する。衛星系の通信設備１０と地上系の移動体通信設備２０を用いた通信の両方が使用可能の場合、どちらの回線を優先的に使用するかはあらかじめユーザーが設定しておくことができ、その設定に従い通信制御装置４０はＩＰデータを衛星モデム１４に伝送するか、携帯電話／データ通信端末２１もしくはＷｉＭＡＸ端末２３へ伝送するかを判断しデータ伝送を行う。
【手続補正４】
【補正対象書類名】明細書
【補正対象項目名】００２３
【補正方法】変更
【補正の内容】
【００２３】
もし、衛星系の通信設備１０と地上系の移動体通信設備２０を用いた通信の両方が使用可能の場合、どちらの回線を優先的に使用するかは、通信路切替手段４５内に設けた優先路設定手段４６によってあらかじめユーザーが設定しておくことができる。その設定は、ソフトウェアのパラメータ、もしくはディップスイッチなどによるハードウェアで行なわれる。
この優先路の設定に従い、通信路切替手段４５はユーザー端末５０からのＩＰデータを衛星モデム１４に伝送するか、携帯電話／データ通信端末２１もしくはＷｉＭＡＸ端末２３へ伝送するかを判断しデータ伝送を行う。
【手続補正５】
【補正対象書類名】明細書
【補正対象項目名】００２７
【補正方法】変更
【補正の内容】
【００２７】
ステップＳＴ８において、優先的に使用する回線が衛星系の通信設備１０でなく（ＮＯ）、優先的に使用する回線が地上系の通信設備２０の場合、ステップＳＴ４に戻って、地上系の移動体通信設備２０が通信可能かどうか判断する。ステップＳＴ４において、地上系の移動体通信設備２０が通信可能であれば、ステップＳＴ５で地上系の移動体通信設備２０のダイヤルアップし、ＩＰデータの伝送を開始する。もしステップＳＴ４で地上系の移動体通信設備２０が輻輳やサービス圏外等理由で使用できない場合（ＮＯ）、ステップＳＴ７に進んで一定時間待機し、一定時間後に再度地上系の移動体通信設備２０の状態を確認し、使用可能であればダイヤルアップを試みＩＰデータ通信を開始する。
【手続補正６】
【補正対象書類名】明細書
【補正対象項目名】００２８
【補正方法】変更
【補正の内容】
【００２８】
また、ステップＳＴ１１において、衛星の捕捉が完了しても衛星通信が不可能の場合（ＮＯ）、ステップＳＴ４に戻って、地上系の移動体通信設備２０が通信可能かどうか判断する。ステップＳＴ４において、地上系の移動体通信設備２０が通信可能（ＹＥＳ）であれば、ステップＳＴ５で地上系の移動体通信設備２０のダイヤルアップを行い、ＩＰデータの伝送を開始する。もしステップＳＴ４で地上系の移動体通信設備２０が輻輳やサービス圏外等理由で使用できない場合（ＮＯ）、ステップＳＴ７に進んで一定時間待機し、一定時間後に再度地上系の移動体通信設備２０の状態を確認し、使用可能であればダイヤルアップを試みＩＰデータ通信を開始する。
【手続補正７】
【補正対象書類名】明細書
【補正対象項目名】００３０
【補正方法】変更
【補正の内容】
【００３０】
ステップＳＴ２３は、アンテナ駆動／制御装置１３および衛星モデム１４の停止と同タイミングで地上系の移動体通信設備２０が使用可能かどうかを判断し、もし使用可能であれば（ＹＥＳ）、ステップＳＴ２４において、地上系の移動体通信設備２０のダイヤルアップをし、ＩＰデータの伝送を開始する。ＩＰデータの伝送が完了した場合、ステップＳＴ２５で通信を終了する。
ステップＳＴ２３において、もし地上系の移動体通信設備が輻輳やサービス圏外等の理由で使用できない場合（ＮＯ）、ステップＳＴ２６に進んで一定時間待機し、一定時間後にステップＳＴ２３へ戻り、再度地上系の移動体通信設備２０の状態を確認し、使用可能であればダイヤルアップを試み、ＩＰデータ通信を開始する。
【手続補正８】
【補正対象書類名】明細書
【補正対象項目名】００３５
【補正方法】変更
【補正の内容】
【００３５】
ステップＳＴ３３において、車両３０の状態が移動中であれば（ＮＯ）、ステップＳＴ４０に進み、一定時間待機する。一定時間後にステップＳＴ４１において、再度地上系の移動体通信設備２０の状態を確認し、使用可能であれば（ＹＥＳ）、ステップＳＴ４２で地上系の移動体通信設備２０のダイヤルアップを試み、ＩＰデータの伝送を開始する。ステップＳＴ４１において、もし地上系の移動体通信設備が輻輳やサービス圏外等の理由で使用できない場合（ＮＯ）、ステップＳＴ４４に進み、一定時間待機する。ステップＳＴ４４で一定時間待機した後にステップＳＴ４１へ戻り、再度地上系の移動体通信設備２０の状態を確認し、使用可能であればダイヤルアップを試みＩＰデータの伝送を開始する。